(57)【要約】【課題】複雑化、大型化、コストの増加等を来すことなく、粉砕時の空気や粉砕対象物の冷却を行うことにある。【解決手段】ステータハウジング１の胴部１０の内面に嵌合したライナー２とロータ３の外周部に設けた粉砕板４との間の空気及び粉砕対象物を冷却すべく、ライナー２と粉砕板４との間に液体を供給するように構成している。また、ロータ２によって回転駆動される分級板３４に、空気流出口１３ａに重なるように延在する複数の分級バー３４ｂを設け、分級バー３４ｂに、空気を空気流出口１３ａに送り出す羽根部３４ｃを設けた構成になっている。【選択図】図１
2005324127.tif 000002
【特許請求の範囲】
【請求項１】
筒状の胴部を有するステータハウジングと、
このステータハウジングの上記胴部の内面に嵌合された円筒状のライナーと、
このライナーの内側に当該ライナーと同軸状に配置されたロータと、
このロータの外周部に当該ロータの軸方向及び周方向に間隔をおいて複数設けられ、当該ロータからの半径方向外側の先端が上記ライナーの内周面に近接する粉砕板とを備えた微粉砕機であって、
上記ライナーと上記粉砕板との間に液体を供給するように構成したことを特徴とする微粉砕機。
【請求項２】
上記胴部に、上記ライナーと上記粉砕板との間に液体を供給するノズルを設けたことを特徴とする請求項１に記載の微粉砕機。
【請求項３】
上記ステータハウジング内における上記胴部の軸方向の一方に配置された空気流入口から流入した空気が上記ライナーと粉砕板との間を流れて当該胴部の軸方向の他方に配置された空気流出口から流出する空気流通ラインの上記空気流出口の上流側であって当該流出口の近傍に、上記ロータによって回転駆動される分級板を設けてなり、
上記分級板は、当該分級板の回転軸の方向において上記空気流出口に重なるように延在する複数の分級バーを備えており、
上記分級バーは、上記空気を上記空気流出口に送り出すべく上記分級板の回転軸の方向に対して斜め形成された羽根部を有していることを特徴とする請求項１又は２に記載の微粉砕機。
【請求項４】
上記羽根部は、上記分級バーの先端から当該分級バーの基端近傍まで延在するように形成されていることを特徴とする請求項３に記載の微粉砕機。
【請求項５】
上記羽根部は、上記分級バーの先端部及び基端部に形成された柱状部の間に形成されていることを特徴とする請求項３に記載の微粉砕機。
【請求項６】
上記羽根部は、少なくとも上記空気流出口に対応する位置に形成されていることを特徴とする請求項３〜５の何れかに記載の微粉砕機。
【発明の詳細な説明】
【技術分野】
【０００１】
本発明は、食品、木材、樹脂等の固形物を、高速で旋回移動する粉砕板によって微粉状に粉砕する微粉砕機に関するものである。
【背景技術】
【０００２】
この種の微粉砕機としては、円筒状の胴部を有するステータハウジングと、このステータハウジングの胴部の内面に嵌合された円筒状のライナーと、このライナー内に同軸状に設けられたロータと、このロータの外周部における軸方向及び周方向に複数設けられた粉砕板とを備えたものが知られている（例えば、特許文献１、２、３参照）。
【０００３】
上記ライナーは、その内面に、軸方向に延在する固定刃が周方向に間隔をおいて複数突設されたものとなっている。
上記粉砕板は、その板面がロータによる回転方向に向けられていると共に、その半径方向外側の先端がライナーの固定刃に２〜３ｍｍ程度まで接近したものとなっている。
【０００４】
このように構成された微粉砕機においては、ロータの回転に伴って複数の粉砕板をライナーの内周面に沿って高速で旋回移動させることで、粉砕板の先端部や、側縁部や、旋回方向の後方等に高速の空気による渦流や高圧高周波の空気振動等を生じさせることができる。
【０００５】
このため、ステータハウジング内をその軸方向の一端側から他端側に移動する空気の流れに乗せて固形状の粉砕原料（粉砕対象物）を供給すると、空気及び粉砕原料が上記粉砕板とライナーとの間隙を通って上記一端側から他端側に移動し、その移動の過程で粉砕原料が急速に粉砕されることになる。
【０００６】
即ち、粉砕原料は、上記渦流や空気振動等による大きな衝撃力、剪断力、圧縮力等を受けると共に、粉砕板やライナーとの衝突や摩砕、当該粉砕原料の各粒子同士の衝突や摩砕によって、数μｍ〜数百μｍ程度の粒径に粉砕されることになる。
【０００７】
ところが、上記従来の微粉砕機おいては、渦流等や粉砕原料の粉砕や摩砕によって、空気及び粉砕原料が発熱するため、低温で溶融するような樹脂等の低融点物質を粉砕原料として供給する場合や、より微細な粉体を得る場合には、冷却する必要がある。
【０００８】
この冷却は、例えばステータハウジングの胴部の外周に冷却ジャケットを設けたり、ステータハウジング内に供給する空気を冷却する空気冷却装置を設けたり、ステータハウジング内に供給する粉砕原料を冷却する原料冷却装置を設けたりすることによっておこなっている。
【０００９】
しかし、上記従来の微粉砕機においては、冷却ジャケット、空気冷却装置、原料冷却装置等の付帯設備が必要になるため、構造が複雑化、大型化すると共に、これに伴ってコストが増加するという問題があった。
【特許文献１】特開平１１−２７６９１６号公報
【特許文献２】特開２０００−４２４３８号公報
【特許文献３】ドイツ特許ＤＥ３８１１９１０Ａ１号
【発明の開示】
【発明が解決しようとする課題】
【００１０】
本発明は、上記事情に鑑みてなされたものであり、複雑化、大型化、コストの増加等を来すことなく、粉砕時の空気や粉砕対象物の冷却を行うことのできる微粉砕機を提供することを課題としている。
【課題を解決するための手段】
【００１１】
上記課題を解決するため、請求項１に記載の発明は、筒状の胴部を有するステータハウジングと、このステータハウジングの上記胴部の内面に嵌合された円筒状のライナーと、このライナーの内側に当該ライナーと同軸状に配置されたロータと、このロータの外周部に当該ロータの軸方向及び周方向に間隔をおいて複数設けられ、当該ロータからの半径方向外側の先端が上記ライナーの内周面に近接する粉砕板とを備えた微粉砕機であって、上記ライナーと上記粉砕板との間に液体を供給するように構成したことを特徴としている。
【００１２】
請求項２に記載の発明は、請求項１に記載の発明において、上記胴部に、上記ライナーと上記粉砕板との間に液体を供給するノズルを設けたことを特徴としている。
【００１３】
請求項３に記載の発明は、請求項１又は２に記載の発明において、上記ステータハウジング内における上記胴部の軸方向の一方に配置された空気流入口から流入した空気が上記ライナーと粉砕板との間を流れて当該胴部の軸方向の他方に配置された空気流出口から流出する空気流通ラインの上記空気流出口の上流側であって当該流出口の近傍に、上記ロータによって回転駆動される分級板を設けてなり、上記分級板は、当該分級板の回転軸の方向において上記空気流出口に重なるように延在する複数の分級バーを備えており、上記分級バーは、上記空気を上記空気流出口に送り出すべく上記分級板の回転軸の方向に対して斜め形成された羽根部を有していることを特徴としている。
【００１４】
請求項４に記載の発明は、請求項３に記載の発明において、上記羽根部は、上記分級バーの先端から当該分級バーの基端近傍まで延在するように形成されていることを特徴としている。
【００１５】
請求項５に記載の発明は、請求項３に記載の発明において、上記羽根部は、上記分級バーの先端部及び基端部に形成された柱状部の間に形成されていることを特徴としている。
【００１６】
請求項６に記載の発明は、請求項３〜５の何れかに記載の発明において、上記羽根部は、少なくとも上記空気流出口に対応する位置に形成されていることを特徴としている。
【発明の効果】
【００１７】
上記のように構成された請求項１〜６に記載の発明によれば、ライナーと粉砕板との間に液体が供給されるように構成されているので、ライナーと粉砕板との間で空気及び粉砕対象物が発熱すると、その熱量が液体の温度上昇及び当該液体の気化のために使われることになる。即ち、液体の気化熱等により、ライナーと粉砕板との間の空気及び粉砕対象物を、ライナーや胴部等を介さずに直接的に効率よく冷却することができる。
【００１８】
従って、従来例で示した冷却ジャケット、空気冷却装置、原料冷却装置等の付帯設備を用いることによる構造の複雑化、大型化、コストの増加等を招くことなく、粉砕時の空気や粉砕対象物を充分に冷却することができる。また、微粉砕機のコストの増加を抑えることができることから、当該微粉砕機で製造する微粉のコストの増加も抑えることができる。
【００１９】
請求項２に記載の発明によれば、ステータハウジングの胴部に、ライナーと粉砕板との間に液体を供給するノズルを設けているので、当該ライナーと粉砕板との間に液体を直接供給することができる。従って、供給した液体のほぼ全てを冷却のために効率よく使用することができる。従って、少量の液体の供給によって大きな冷却効果を得ることができる。
【００２０】
請求項３に記載の発明によれば、ステータハウジング内の空気流通ラインにおける空気流出口の近傍部に、ロータによって回転駆動される分級板を設け、この分級板には当該分級板の回転軸の方向において空気流出口に重なるように延在する複数の分級バーを設け、この分級バーは空気を空気流出口に送り出すべく分級板の回転軸の方向に対して斜めに形成された羽根部を有しているので、空気流通ラインに沿って流れる空気の流速を当該空気流通ライン中において効率よく上昇させることができる。
【００２１】
従って、液体の付着によって重くなった粉砕後の微粉を空気流通ラインを流れる空気に乗せて空気流出口から確実に排出することができる。
【００２２】
また、分級板には空気流出口に重なるように延在する複数の分級バーが設けられているので、粉砕対象物のうちライナーと粉砕板との間を充分粉砕されずに通過した粗粉砕物を、空気流出口から流出する前に、分級バーで粉砕しつつ、叩き落とすことができる。従って、空気流出口から排出される微粉の粒径の均一化を図ることができる。
【００２３】
請求項４に記載の発明によれば、羽根部が分級バーの先端から当該分級バーの基端近傍まで延在するように形成されているので、当該分級バーのほぼ全長にわたる部分を軸流ポンプとして有効に機能させることができる。
【００２４】
請求項５に記載の発明によれば、羽根部が分級バーの先端部及び基端部に形成された柱状部の間に形成されているので、粗粉砕物を粉砕する能力及び叩き落とす能力を高めることができる。即ち、分級バーの先端部及び基端部に形成された柱状部は、空気を空気流出口側に送り出す機能がない分、粗粉砕物に当たって当該粗粉砕物を粉砕する能力及び叩き落とす能力が高いので、より効率よく粗粉砕物を粉砕したり、叩き落としたりすることができる。よって、微粉の粒径の均一化を図る上で効果がある。
【００２５】
請求項６に記載の発明によれば、羽根部が少なくとも空気流出口に対応する位置に形成されているので、少なくとも空気流出口に送り出すことが可能な最大の空気流量を得ることができると共に、羽根部の長さが無駄に長くなるのを極力防止することができる。即ち、最小限の長さの羽根部によって最大限の流量の空気を空気流出口に送出することができる。従って、分級板のコンパクト化を図ることができると共に、コストの低減を図ることができる。
【発明を実施するための最良の形態】
【００２６】
本発明を実施するための最良の形態としての第１の実施の形態について図面を参照しながら説明する。
【００２７】
この第１の実施の形態で示す微粉砕機は、図１に示すように、円筒状の胴部１０を有するステータハウジング１と、このステータハウジング１の胴部１０の内面に嵌合された円筒状のライナー２と、このライナー２の内側に当該ライナー２と同軸状に配置されたロータ３と、このロータ３の外周部に当該ロータ３の軸方向及び周方向に一定の間隔をおいて複数設けられ、板面４ａがロータ３による回転方向に向けられていると共に、当該ロータ３からの半径方向外側の先端４ｃがライナー２の内周面に近接する粉砕板４とを備え、ライナー２と粉砕板４との間に液体を供給するように構成されている。
【００２８】
ステータハウジング１は、胴部１０の軸方向の一方の位置に空気流入口１１ａを有する中間壁部１１を有すると共に、更に一方の位置に一端壁部１２を有し、また胴部１０の軸方向の他方の位置に空気流出口１３ａを有する他端壁部１３を有する構成になっている。
【００２９】
空気流入口１１ａは、中間壁部１１の軸心部に開口しており、ロータ３の後述する回転主軸３１が挿通可能になっている。また、空気流入口１１ａは、空気を供給するための空気供給ダクト７１に接続されている。
【００３０】
一端壁部１２には、その軸心部に軸受保持部１２ａが設けられている。この軸受保持部１２ａには、ロータ３の後述する回転主軸３１の一端側の部分を回転自在に支持する軸受３１ａが設けられている。
【００３１】
空気流出口１３ａは、他端壁部１３の軸心部の周囲に開口している。他端壁部１３の軸心部には、軸受保持部１３ｂが設けられている。この軸受保持部１３ｂには、ロータ３の後述する回転主軸３１の他端側の部分を回転自在に支持する軸受３１ｂが設けられている。また、空気流出口１３ａは、粉砕原料（粉砕対象物）を粉砕した後の微粉を空気と共に排出するための排出ダクト７２に接続されている。
【００３２】
ライナー２は、その内周面に、周方向に凹凸が交互に形成された耐摩耗性を有する材料で形成されている。これらの凹凸は、ライナー２の内周面を軸線方向に直線状に延在していると共に、断面視において三角形の鋸歯状に形成されている。
【００３３】
ロータ３は、回転主軸３１と、この回転主軸３１の軸方向に一定の間隔をおいて着脱自在に設けられた複数（この実施の形態では５枚）のロータディスク３２とを備えている。これらのロータディスク３２は、中間壁部１１と他端壁部１３との間におけるライナー２の範囲内に配置されている。
【００３４】
粉砕板４は、各ロータディスク３２の外周部の周方向に一定の間隔おいて固定されることによって、上述のようにロータ３の軸方向及び周方向に一定の間隔をおいて複数設けられた構造になっている。そして、この実施の形態では、ライナー２の内周面（凸の先端）と粉砕板４の先端４ｃとの間隔が２〜３ｍｍに設定されている。
【００３５】
また、粉砕板４は、ロータ３からの半径方向の内側に位置しロータディスク３２の外周部に溶接等で固定された基端側粉砕板部４１と、この基端側粉砕板部４１に着脱自在に設けられた先端側粉砕板部４２とによって構成されている。これらの基端側粉砕板部４１と先端側粉砕板部４２とは、位置決めピン（図示せず）で位置決めされた上で、ボルトやビス等のネジ（図示せず）で連結されるようになっている。
【００３６】
ロータ３における軸方向の各粉砕板４の間には、円板状の仕切板３３が設けられている。また、各ロータディスク３２に設けられた粉砕板４は、軸方向において隣接するもの同士がその軸方向に重なった位置とならないように、周方向に位置がずらされている。
【００３７】
また、ステータハウジング１の胴部１０及びライナー２には、そのライナー２の軸方向の一端側の位置に、粉砕原料をライナー２内に供給するための原料供給口７３ａが形成されており、この原料供給口７３ａは原料供給ダクト７３に接続されている。原料供給ダクト７３は、図示しない外部の原料供給源に接続されている。
【００３８】
更に、ステータハウジング１における胴部１０には、ライナー２と粉砕板４との間に液体を直接供給するノズル５が設けられている。このノズル５は、胴部１０の軸方向及び周方向の複数の位置に配置されており、円筒状に形成されたライナー２と粉砕板４との間隙内の空気、粉砕原料、微粉等を一定の温度範囲内に入るように液体を供給するようになっている。また、液体としては、粉砕原料の種類に応じて水やアルコール、その他の種々の液体が使用されることになる。また、ノズル５は、上述のように複数設けてもよいが、１つであってもよい。
【００３９】
また、ステータハウジング１内には、空気流入口１１ａから流入した空気がライナー２と粉砕板４との間を流れて空気流出口１３ａに流出する空気流通ラインが構成されており、この空気流通ラインにおける空気流出口１３ａの上流側であって当該空気流出口１３ａの近傍には、ロータ３によって回転駆動される分級板３４が設けられている。なお、ステータハウジング１内において、複数のロータディスク３２が設けられた部分の下流側からから他端壁部１３までの間が分級室１ａになっている。
【００４０】
分級板３４は、図２に示すように、他端壁部１３の内面近傍位置における回転主軸３１に同軸状に固定されて、当該回転主軸３１と共に回転するように構成されている。分級板３４は、回転主軸３１に同軸状に固定される金属製の円板部３４ａと、この円板部３４ａにその外縁部から放射状に延在すべく設けられた金属製の複数の分級バー３４ｂとを備えた構成になっている。
【００４１】
各分級バー３４ｂは、円板部３４ａの周方向に一定の間隔をおいて設けられていると共に、その先端が円板部３４ａの回転中心を中心とする円の位置となるように等しい長さに形成されている。また、各分級バー３４ｂは、他端壁部１３における軸心部の周囲に形成された空気流出口１３ａに対して、分級板３４の回転軸の方向において重なる位置に延在している。
【００４２】
そして、分級板３４は、粉砕原料が充分粉砕されずに分級室１ａに移行してきた粗粉砕物を、空気流出口１３ａから流出する前に、分級バー３４ｂで粉砕したり叩き落としたりするようになっている。
【００４３】
また、ロータディスク３２や仕切板３３には、分級板３４の分級バー３４ｂと軸方向に重なる位置に開口部が設けられており、これらの開口部によって、分級バー３４ｂで叩き落とされた粗粉砕物を空気流入口１１ａ側に戻すための戻り流路３５が構成されている。
【００４４】
そして、この実施の形態において、ロータ３は、図１に示すように、上下方向（鉛直方向）に延在すべく設置されており、分級バー３４ｂで叩き落とした粗粉砕物は、重力の作用により、戻り流路３５を介して空気流入口１１ａ側に自然に戻るようになっている。
【００４５】
また、分級バー３４ｂは、図３及び図４に示すように、空気を空気流出口１３ａに送り出すべく分級板３４の回転軸の方向に対して斜め形成された羽根部３４ｃを有している。なお、図４には、分級板３４の回転軸の方向に直交する回転方向Ｒに対して角度αで傾斜した形状の羽根部３４ｃを示している。
【００４６】
羽根部３４ｃは、分級バー３４ｂの先端から当該分級バー３４ｂの基端近傍まで延在するように形成されている。分級バー３４ｂの基端部は、図４に示すように、断面が長方形状の四角柱状基端部（柱状部）３４ｄによって形成されている。羽根部３４ｃは、四角柱状基端部３４ｄの断面における対角方向の一対の頂点ａ、ｂの各位置を維持しながら、各長辺及び短辺を平行に削ぎ落として平行四辺形状の断面形状に形成することによって、各頂点ａ、ｂを結ぶ直線Ｌに沿って長く延在するように形成されている。
【００４７】
この場合、各短辺を直線Ｌの傾きに近づけるべく平行に削ぎ落とすと共に、各長辺も直線Ｌに沿う方向にわずかに削ぎ落とすことにより、断面の全体が直線Ｌに沿って長く延在する平行四辺形状になる。しかも、このように削ぎ落とすことにより、各頂点ａ、ｂの角部が鋭角に尖った形状になる。また、上記角度αも鋭角になるように形成されている。因みに、この実施の形態で示した四角柱状基端部３４ｄは、その断面における長辺の長さが約２０ｍｍ、短辺の長さが約１０ｍｍである。また、分級バー３４ｂの全長は約１５０ｍｍである。
【００４８】
また、回転主軸３１は、その一端部に設けられたプーリ等を介して高速で回転駆動されるようになっており、これにより粉砕板４等がライナー２の内周面に沿って高速で旋回移動すると共に、分級板３４が高速で回転駆動されるようになっている。
【００４９】
上記のように構成された微粉砕機によれば、ロータ３の回転に伴って複数の粉砕板４がライナー２の内周面に沿って高速で旋回移動することになる。また、排出ダクト７２の下流側に設置された図示しない送風装置によって、空気が空気流入口１１ａからステータハウジング１内に吸引され、当該ステータハウジング１を通って空気流出口１３ａから流出することになる。この場合、ステータハウジング１内を通る空気は、ロータ３や粉砕板４の回転による遠心力を受けることになるため、空気流入口１１ａから流入した後、ライナー２と粉砕板４との間を通り、更に分級室１ａを通り、分級板３４を介して空気流出口１３ａからに流出することになる。即ち、空気は、上述した空気流通ラインを通ることになる。
【００５０】
このため、原料供給ダクト７３から供給された固形状の粉砕原料は、上記空気流通ラインを通る空気の流れに乗って、移動することになる。
【００５１】
そして、粉砕板４がライナー２の内周面に沿って高速で旋回移動することから、粉砕板４の先端位置や、側縁位置や、旋回方向の後方等に、高速の空気による渦流や高圧高周波の空気振動等を生じ、これらに起因して粉砕原料が微細に粉砕されることになると同時に、空気及び粉砕原料が発熱することになる。
【００５２】
しかし、上記発熱量は、ライナー２と粉砕板４との間に供給された液体の温度上昇及び当該液体の気化のために、使われることになる。即ち、液体の気化熱等により、空気及び粉砕原料を、胴部１０やライナー２を介さずに直接的に効率よく冷却することができる。
【００５３】
従って、従来例で示した冷却ジャケット、空気冷却装置、原料冷却装置等の付帯設備を用いることによる構造の複雑化、大型化、コストの増加等を招くことなく、粉砕時の空気や粉砕原料を充分に冷却することができる。また、微粉砕機のコストの増加を抑えることができることから、当該微粉砕機で製造される微粉のコストの増加も抑えることができる。
【００５４】
また、この実施の形態では、ステータハウジング１の胴部１０に、ライナー２と粉砕板４との間に液体を直接供給するノズル５を設けているので、図示しない外部の液体供給源からノズル５を介して供給された液体のほぼ全てを発熱する空気及び粉砕原料の冷却のために効率よく使用することができる。従って、少量の液体の供給によって大きな冷却効果を得ることができる。
【００５５】
更に、空気流通ラインにおける空気流出口１３ａの近傍部に、ロータ３によって回転駆動される分級板３４を設け、この分級板３４には当該分級板３４の回転軸の方向において空気流出口１３ａに重なるように延在する複数の分級バー３４ｂを設け、この分級バー３４ｂは空気を空気流出口１３ａに送り出すべく分級板３４の回転方向Ｒに対して斜めに形成された羽根部３４ｃを有しているので、空気流通ラインに沿って流れる空気の流速を当該空気流通ライン中において効率よく上昇させることができる。
【００５６】
しかも、羽根部３４ｃが分級バー３４ｂの先端から当該分級バー３４ｂの基端近傍まで延在するように形成されているので、当該分級バー３４ｂのほぼ全長にわたる部分を軸流ポンプとして有効に機能させることができる。
【００５７】
従って、液体の付着によって重くなった微粉を空気流通ラインを流れる空気に乗せて空気流出口１３ａから確実に排出することができる。
【００５８】
また、粉砕原料のうち充分粉砕されずに分級室１ａに流入した粗粉砕物を、空気流出口１３ａから流出する前に、分級バー３４ｂで粉砕したり、叩き落としたりすることができる。そして、叩き落とされた粗粉砕物は、重力の作用により、戻り流路３５を介して空気流入口１１ａ側に戻り、空気流通ラインに乗ってライナー２と粉砕板４との間に移動して、再び粉砕されることになる。従って、空気流出口１３ａから排出される微粉の粒径の均一化を図ることができる。
【００５９】
しかも、ライナー２の内周面に、周方向に凹凸が交互に形成されているので、粉砕板４の周囲等に、より撹乱した状態の高速の空気による渦流や高圧高周波の空気振動等を生じさせることができる。従って、より微細かつより均一な粒径の微粉を得ることができると共に、微粉の生産効率の向上を図ることができる。
【００６０】
更に、粉砕板４が基端側粉砕板部４１と、この基端側粉砕板部４１に着脱自在に設けられた先端側粉砕板部４２とを備えた構成になっているので、当該先端側粉砕板部４２を交換するだけで粉砕原料の種類に応じて効率よく粉砕することが可能な形状の粉砕板４に簡単に変更することができる。
【００６１】
また、消耗しやすい粉砕板４の先端部分のみを、先端側粉砕板部４２の着脱によって交換することができるので、ランニングコストの低減を図ることができる。
【００６２】
なお、上記実施の形態においては、ライナー２２の内周面に三角形の鋸歯状の凹凸を形成するように構成したが、この凹凸は、他の形状（例えば、波状、歯車の各歯状、矩形状等）に形成されたものであってもよい。
【００６３】
また、液体を、ノズル５によって、ライナー２と粉砕板４との間に直接供給するように構成したが、液体を図示しないノズル等によって空気供給ダクト７１や空気流入口１１ａ等に供給し、当該液体を空気流通ラインを通る空気の流れに乗せてライナー２と粉砕板４との間に供給するように構成してもよい。この場合、液体は、噴霧状にして供給することが気化熱を短時間で効率よく得る上で好ましい。また、上記ノズル５から噴出する液体についても、できれば噴霧状にして供給することが好ましい。
｛発明を実施するための異なる形態｝
【００６４】
次に、本発明を実施するための異なる形態としての第２の実施の形態について図５を参照しながら説明する。但し、第１の実施の形態で示した構成要素と共通する要素には同一の符号を付し、その説明を簡略化する。
【００６５】
（第２の実施の形態）
【００６６】
この第２の実施の形態が第１の実施の形態と異なる点は、分級板３４における分級バー３４ｂの形状が異なる点のみである。
【００６７】
即ち、分級バー３４ｂは、その円板部３４ａ（図２参照）側の基端部に形成された四角柱状基端部３４ｄと、先端部に形成された四角柱状先端部（柱状部）３４ｅと、これらの間に形成された羽根部３４ｃとによって一体的に形成されている。
【００６８】
四角柱状先端部３４ｅは、四角柱状基端部３４ｄと同一の断面形状（長方形状）に形成されていると共に、同軸状に形成されている。また、四角柱状先端部３４ｅの軸方向の長さは、１０〜５０ｍｍ程度に形成されている。
【００６９】
羽根部３４ｃは、空気流出口１３ａに対応する位置に形成されている。即ち、羽根部３４ｃは、分級板３４が回転駆動された際に、当該分級板３４の回転軸の方向において空気流出口１３ａの全体に丁度重なるような軌跡を描いて旋回移動するように形成されている。
【００７０】
上記のように構成された分級バー３４ｂを有する微粉砕機によれば、分級バー３４ｂの基端部及び先端部に、四角柱状基端部３４ｄ及び四角柱状先端部３４ｅが形成されているので、粗粉砕物を粉砕したり叩き落としたりする能力を高めることができる。即ち、四角柱状基端部３４ｄ及び四角柱状先端部３４ｅは、四角柱状に形成されているため空気を空気流出口１３ａ側に送り出す機能がないが、その分、粗粉砕物に当たって当該粗粉砕物を粉砕したり叩き落としたりする能力が高い。このため、より効率よく粗粉砕物を粉砕したり叩き落としたりすることができる。よって、微粉の粒径の均一化を図る上で効果がある。
【００７１】
また、羽根部３４ｃが空気流出口１３ａに対応する位置に形成されているので、空気流出口１３ａに送り出すことが可能な最大の空気流量を得ることができると共に、羽根部３４ｃの長さが無駄に長くなるのを防止することができる。即ち、最小限の長さの羽根部３４ｃによって最大限の流量の空気を空気流出口１３ａに送出することができる。従って、分級板３４のコンパクト化を図ることができると共に、コストの低減を図ることができる。
【００７２】
なお、上述した第１の実施の形態における羽根部３４ｃについても、空気流出口１３ａに対応する位置に形成したものであってもよい。また、羽根部３４ｃは、少なくとも空気流出口１３ａに対応する位置に形成されていればよく、空気流出口１３ａに対応する位置より長く延在するものであってもよい。
【００７３】
また、分級バー３４ｂの基端部及び先端部に形成した柱状部は、上述した四角柱状基端部３４ｄや四角柱状先端部３４ｅのような四角柱状のものの他、三角形や五角形等の多角柱状に形成したものや、円柱状に形成したものや、楕円柱状に形成したもの等であってもよい。
【図面の簡単な説明】
【００７４】
【図１】この発明の第１の実施の形態として示した微粉砕機の断面図である。
【図２】同微粉砕機の分級板を示す正面図である。
【図３】同微粉砕機の分級板における分級バーを示す斜視図である。
【図４】同微粉砕機の分級板における分級バーを示す図であって、図３のIV矢視図である。
【図５】この発明の第２の実施の形態として示した微粉砕機の分級板における分級バーの斜視図である。
【符号の説明】
【００７５】
１  ステータハウジング
２  ライナー
３  ロータ
４  粉砕板
４ｃ  先端
５  ノズル
１０  胴部
１１ａ  空気流入口
１３ａ  空気流出口
３１  回転主軸
３２  ロータディスク
３４  分級板
３４ｂ  分級バー
３４ｃ  羽根部
３４ｄ  四角柱状基端部（柱状部）
３４ｅ  四角柱状先端部（柱状部）
Ｒ  回転方向
【図１】
2005324127.tif 000003
【図２】
2005324127.tif 000004
【図３】
2005324127.tif 000005
【図４】
2005324127.tif 000006
【図５】
2005324127.tif 000007